(57)【要約】【課題】本発明が解決しようとする課題は、顧客が、釣銭の取り忘れやレシートの取り忘れることを防止する硬貨出金装置、会計装置、ＰＯＳシステムおよびプログラムを提供することである。【解決手段】実施形態の金銭払出装置は、金銭を収納する収納部と、上位装置から釣銭額を含む釣銭情報を受信する釣銭情報受信部と、前記収納部に収納されている金銭を釣銭として払い出す払出部と、前記払出部が払い出す金銭を計数する計数部と、前記受信した釣銭情報と前記計数部が計数した金銭の数に基づいて、釣銭として払い出す最後の金銭を計数したかを判断する払出判断部と、前記払出判断部が最後の金銭を計数したと判断した場合に、釣銭の払い出しが終了したことを示す払出終了信号を前記上位装置に送信する払出信号送信部と、を備える。【選択図】図８
2019207492.tif 000002
【特許請求の範囲】
【請求項１】
金銭を収納する収納部と、
上位装置から釣銭額を含む釣銭情報を受信する釣銭情報受信部と、
前記収納部に収納されている金銭を釣銭として払い出す払出部と、
前記払出部が払い出す金銭を計数する計数部と、
前記受信した釣銭情報と前記計数部が計数した金銭の数値に基づいて、釣銭として払い出す最後の金銭を計数したかを判断する払出判断部と、
前記払出判断部が最後の金銭を計数したと判断した場合に、釣銭の払い出しが終了したことを示す払出終了信号を前記上位装置に送信する払出信号送信部と、
を備えた金銭払出装置。
【請求項２】
前記払出信号送信部は、前記払出判断部が判断した前記最後の金銭を、前記払出部が払い出す前に前記払出終了信号を送信する、
請求項１に記載の金銭払出装置。
【請求項３】
商品販売に係る会計処理を行う会計処理部と、顧客に対して釣銭を払い出す金銭払出部と、顧客に対してレシートを発行するレシート印字部と、を備えた会計装置であって、
前記金銭払出部は、
金銭を収納する収納部と、
前記会計処理部から釣銭額を含む釣銭情報を受信する釣銭情報受信部と、
前記収納部に収納されている金銭を釣銭として払い出す払出部と、
前記払出部が払い出す金銭を計数する計数部と、
前記受信した釣銭情報と前記計数部が計数した金銭の数値に基づいて、釣銭として払い出す最後の金銭を計数したかを判断する払出判断部と、
前記払出判断部が最後の金銭を計数したと判断した場合に、釣銭の払い出しが終了したことを示す払出終了信号を前記会計処理部に送信する払出信号送信部と、
を備え、
前記会計処理部は、
商品購入に伴うデータ処理によって発生した前記釣銭情報を前記金銭払出部に送信する釣銭情報送信部と、
前記金銭払出部から前記払出終了信号を受信したかを判断する払出終了信号受信判断部と、
前記払出終了信号を受信したと判断した場合には、前記レシート印字部に対し、前記データ処理に伴う情報を印字したレシートの発行を指示するレシート発行指示信号を送信する印字指示信号送信部と、
を備え、
前記レシート印字部は、前記会計処理部から前記レシート発行指示信号を受信すると、前記データ処理に伴う前記レシートを発行する、
会計装置。
【請求項４】
商品販売に係る会計処理を行う会計処理装置と、顧客に対して釣銭を払い出す金銭払出装置と、顧客に対してレシートを発行するレシート印字装置と、を備えた会計システムであって、
前記金銭払出装置は、
金銭を収納する収納部と、
前記会計処理装置から釣銭額を含む釣銭情報を受信する釣銭情報受信部と、
前記収納部に収納されている金銭を釣銭として払い出す払出部と、
前記払出部が払い出す金銭を計数する計数部と、
前記受信した釣銭情報と前記計数部が計数した金銭の数値に基づいて、釣銭として払い出す最後の金銭を計数したかを判断する払出判断部と、
前記払出判断部が最後の金銭を計数したと判断した場合に、釣銭の払い出しが終了したことを示す払出終了信号を前記会計処理装置に送信する払出信号送信部と、
を備え、
前記会計処理装置は、
商品購入に伴うデータ処理によって発生した前記釣銭情報を前記金銭払出装置に送信する釣銭情報送信部と、
前記金銭払出装置から前記払出終了信号を受信したかを判断する払出終了信号受信判断部と、
前記払出終了信号を受信したと判断した場合には、前記レシート印字装置に対し、前記データ処理に伴う情報を印字したレシートの発行を指示するレシート発行指示信号を送信する印字指示信号送信部と、
を備え、
前記レシート印字装置は、前記会計処理装置から前記レシート発行指示信号を受信すると、前記データ処理に伴う前記レシートを発行する、
会計システム。
【請求項５】
金銭を収納する収納部と、上位装置から釣銭額を含む釣銭情報を受信する釣銭情報受信部と、を備えた金銭払出装置としてのコンピュータを、
前記収納部に収納されている金銭を釣銭として払い出す払出部と、
前記払出部が払い出す金銭を計数する計数部と、
前記受信した釣銭情報と前記計数部が計数した金銭の数値に基づいて、釣銭として払い出す最後の金銭を計数したかを判断する払出判断部と、
前記払出判断部が最後の金銭を計数したと判断した場合に、釣銭の払い出しが終了したことを示す払出終了信号を前記上位装置に送信する払出信号送信部と、
して機能させるためのプログラム。
【請求項６】
商品販売に係る会計処理を行う会計処理部と、金銭を収納する収納部と前記会計処理部から釣銭額を含む釣銭情報を受信する釣銭情報受信部とを備え顧客に対して釣銭を払い出す金銭払出部と、顧客に対してレシートを発行するレシート印字部と、を備えた会計装置としてのコンピュータに用いられるプログラムであって、
前記金銭払出部を、
前記収納部に収納されている金銭を釣銭として払い出す払出部と、
前記払出部が払い出す金銭を計数する計数部と、
前記受信した釣銭情報と前記計数部が計数した金銭の数値に基づいて、釣銭として払い出す最後の金銭を計数したかを判断する払出判断部と、
前記払出判断部が最後の金銭を計数したと判断した場合に、釣銭の払い出しが終了したことを示す払出終了信号を前記会計処理部に送信する払出信号送信部と、
として機能させ、
前記会計処理部を、
商品購入に伴うデータ処理によって発生した前記釣銭情報を前記金銭払出部に送信する釣銭情報送信部と、
前記金銭払出部から前記払出終了信号を受信したかを判断する払出終了信号受信判断部と、
前記払出終了信号を受信したと判断した場合には、前記レシート印字部に対し、前記データ処理に伴う情報を印字したレシートの発行を指示するレシート発行指示信号を送信する印字指示信号送信部と、
として機能させ、
前記レシート印字部を、前記会計処理部から前記レシート発行指示信号を受信すると、前記データ処理に伴う前記レシートを発行する、
ように機能させるためのプログラム。
【発明の詳細な説明】
【技術分野】
【０００１】
本発明の実施形態は、金銭払出装置、会計装置、会計システムおよびプログラムに関する。
【背景技術】
【０００２】
従来、例えば、購入する商品の売上登録操作や会計操作を顧客が自ら行うセルフ型ＰＯＳ（Point  of  Sales）端末や、店員が売上登録操作を行う登録装置と会計操作を顧客が行う会計処理装置とを備えたセミセルフ型ＰＯＳ端末が存在する。
【０００３】
これらの、セルフ型ＰＯＳ端末やセミセルフ型ＰＯＳ端末は、顧客に渡す釣銭を払い出す機能を備えている。また、セルフ型ＰＯＳ端末やセミセルフ型ＰＯＳ端末は、販売した商品の情報等を印字したレシートを発行する機能を備えている。
【０００４】
しかしながら、セルフ型ＰＯＳ端末やセミセルフ型ＰＯＳ端末は、釣銭を払い出すタイミングとレシートを発行するタイミングが一致しないことがあるため、顧客は、釣銭の取り忘れやレシートの取り忘れることがある。このような釣銭やレシートの取り忘れは、セルフ型ＰＯＳ端末やセミセルフ型ＰＯＳ端末に限らず、店員が操作する販売データ処理装置と金銭払出装置とレシート印字装置を備えた会計システムにおいても起き得る。
【発明の概要】
【発明が解決しようとする課題】
【０００５】
本発明が解決しようとする課題は、顧客が、釣銭の取り忘れやレシートの取り忘れることを防止する硬貨出金装置、会計装置、ＰＯＳシステムおよびプログラムを提供することである。
【課題を解決するための手段】
【０００６】
実施形態の金銭払出装置は、金銭を収納する収納部と、上位装置から釣銭額を含む釣銭情報を受信する釣銭情報受信部と、前記収納部に収納されている金銭を釣銭として払い出す払出部と、前記払出部が払い出す金銭を計数する計数部と、前記受信した釣銭情報と前記計数部が計数した金銭の数に基づいて、釣銭として払い出す最後の金銭を計数したかを判断する払出判断部と、前記払出判断部が最後の金銭を計数したと判断した場合に、釣銭の払い出しが終了したことを示す払出終了信号を前記上位装置に送信する払出信号送信部と、を備える。
【図面の簡単な説明】
【０００７】
【図１】図１は、セルフ型ＰＯＳ端末内部の機能を示す図である。
【図２】図２は、実施形態の硬貨釣銭部の内部構造を示す平面図である。
【図３】図３は、硬貨釣銭部の内部構造を示す側断面図である。
【図４】図４は、硬貨釣銭部のハードウェア構成を示すブロック図である。
【図５】図５は、紙幣釣銭部のハードウェア構成を示すブロック図である。
【図６】図６は、販売データ処理部のハードウェア構成を示すブロック図である。
【図７】図７は、硬貨釣銭部の機能構成を示す機能ブロック図である。
【図８】図８は、硬貨釣銭部の制御処理の流れを示すフローチャートである。
【図９】図９は、販売データ処理部の機能構成を示す機能ブロック図である。
【図１０】図１０は、販売データ処理部の制御処理の流れを示すフローチャートである。
【発明を実施するための形態】
【０００８】
以下、図面を参照して、実施形態について詳細に説明する。実施形態では、セルフ型ＰＯＳ端末を会計装置の一例として説明する。また、実施形態では、硬貨釣銭部を金銭出金装置の一例として説明する。また実施形態では、硬貨と紙幣を総称して金銭という。すなわち、金銭は、硬貨または紙幣のいずれか一方、または両方をいう。なお、以下に説明する実施形態によりこの発明が限定されるものではない。
【０００９】
まず、セルフ型ＰＯＳ端末１について説明する。セルフ型ＰＯＳ端末１は、販売データ処理部２（会計処理部）、紙幣釣銭部３（金銭払出装置）、硬貨釣銭部４（金銭払出装置）、レシート印字部５を備える。販売データ処理部２と紙幣釣銭部３と硬貨釣銭部４とは、例えばＬＡＮ（Local  Area  Network）等の通信回線Ｌ１で互いに接続されている。販売データ処理部２と紙幣釣銭部３と硬貨釣銭部４は、通信回線Ｌ１を介して情報を送受信が可能である。また、販売データ処理部２とレシート印字部５は、通信回線Ｌ２で接続されている。販売データ処理部２とレシート印字部５は、通信回線Ｌ２を介して情報を送受信が可能である。
【００１０】
販売データ処理部２は、商品の販売に係るデータ処理を実行する販売データ処理装置である。販売データ処理部２は、顧客によるコード情報の読み取り操作に伴い、商品を特定する商品コードを取得する。また、販売データ処理部２は、取得した商品コードに基づいて、当該商品の売上登録処理を実行する。また、販売データ処理部２は、売上登録処理した商品について、会計処理を実行する。売上登録処理とは、販売される商品について商品コードを取得し、取得した商品コードに基づいて商品マスタから読み出した、当該商品の商品情報（商品名、価格等）を表示するとともに、当該商品情報を商品情報部６３１（図６を参照）等に記憶する処理をいう。会計処理とは、売上登録処理した商品情報に基づいて、当該取引に係る合計金額の表示、顧客から預かった預り金に基づいて釣銭額を計算して表示する処理等をいう。
【００１１】
紙幣釣銭部３は、顧客から預かった紙幣を収納し、顧客に釣銭としての紙幣を払い出す紙幣釣銭機である。紙幣釣銭部３は、商品の代金として顧客が支払った金銭のうちの紙幣分を入金して収納する。また、紙幣釣銭部３は、販売データ処理部２から受信した紙幣分の釣銭情報に基づいて、紙幣の釣銭を払い出す。硬貨釣銭部４、顧客から預かった硬貨を入金して収納し、顧客に釣銭としての硬貨を払い出す硬貨釣銭機である。硬貨釣銭部４は、商品の代金として顧客が支払った金銭のうちの硬貨分を入金して収納する。また、硬貨釣銭部４は、販売データ処理部２から受信した硬貨分の釣銭情報に基づいて、硬貨の釣銭を払い出す。なお、図１において、紙幣釣銭部３および硬貨釣銭部４は、販売データ処理部２に対して並列的に接続されているように記載したが、物理的には、販売データ処理部２と紙幣釣銭部３が接続されており、紙幣釣銭部３と硬貨釣銭部４が接続されている。しかしながら、電気的には、販売データ処理部２と紙幣釣銭部３とが直接接続されており、また販売データ処理部２と硬貨釣銭部４も直接接続されている。
【００１２】
レシート印字部５は、販売データ処理部２から受信した商品の商品情報や会計情報等の印字情報を印字したレシートを発行するレシート印字装置である。
【００１３】
次に、硬貨釣銭部４の構造について説明する。図２は、実施形態の硬貨釣銭部４の内部構造を示す平面図である。図３は、硬貨釣銭機の内部構造を示す側断面図である。図２および図３に示すように、硬貨釣銭部４は、顧客から預かり投入した硬貨Ｃを内部設けられた収納部３０に金種別に収納する。また、硬貨釣銭部４は、販売データ処理部２から受信した硬貨分の釣銭情報に基づいて、収納部３０に収納している硬貨Ｃを釣銭として受皿５２に払い出す。硬貨釣銭部４の本体ケース１５の右側手前に硬貨Ｃを一括して投入する上方に開口した投入口１６が設けられている。この投入口１６には、光電的に硬貨Ｃの有無を検出する複数組の投入センサ１７が設けられている。投入センサ１７は、投入口１６に投入された硬貨Ｃを検出する。また、前記投入口１６の下端部には、投入された硬貨Ｃを硬貨釣銭部４の内部に搬入するための入金ベルト７５が設けられている。また、前記投入口１６の一端には、不規則に投入された硬貨Ｃを硬貨釣銭部４の内部に１枚ずつ送り出す投入ローラ１８が設けられる。この投入口１６と入金ベルト７５と投入ローラ１８とにより投入部１９が形成されている。
【００１４】
前記投入ローラ１８には、硬貨Ｃを一列にして搬送する投入ベルト２０が連設されている。この投入ベルト２０には、搬入された硬貨Ｃの送り速度を早めて所定の隙間をあけてそれぞれの硬貨Ｃを搬送する搬送ベルト２１が連設されている。さらに、別の搬送ベルト２２が連設されている。搬送ベルト２１および搬送ベルト２２は、搬入モータ４９（図４を参照）によって回転する。前記搬送ベルト２１によって搬送される硬貨Ｃの搬送経路途中には、硬貨Ｃの真贋や変形をチェックする入金センサ２３が設けられている。この入金センサ２３の先には、搬送される硬貨Ｃが正貨でない場合に、硬貨搬送を中断して硬貨釣銭部４から排出するリジェクト部２４が設けられている。リジェクト部２４は、リジェクトソレノイド５０（図４を参照）が作動することで、搬送中の硬貨Ｃを搬送経路から排出する。
【００１５】
また、前記搬送ベルト２２の終端部分には、硬貨Ｃの搬送方向を略直角に変換する搬送ベルト２５が設けられ、この搬送ベルト２５に沿わせて順次穴幅寸法が拡大する金種毎の選別孔２６が設けられて硬貨選別部２７が形成されている。前記選別孔２６は、図１の右側から、１円・５０円・５円・１００円・１０円・５００円のそれぞれの硬貨Ｃが、金種別に仕切られた収納部３０に落下するように６個設けられている。そして、各選別孔２６付近には、それぞれ落下センサ２８が設けられている。落下センサ２８は、選別孔２６から収納部３０に落下する硬貨Ｃを計数する。
【００１６】
ついで、前記選別孔２６のそれぞれに連通させて仕切板２９で硬貨Ｃ毎に仕切られた上方開口の収納部３０が設けられている。収納部３０は、選別孔２６から落下した硬貨Ｃを金種別に収納する。この収納部３０のそれぞれの金種毎の底面部分には、払出ベルト３１（払出部）が駆動ローラ３２と従動ローラ３３とに懸け渡されて設けられている。払出ベルト３１は、払出モータ５３（図４を参照）によって回転する。払出ベルト３１が回転すると、収納部３０に収納されている硬貨Ｃが受皿５２方向に搬送される。
【００１７】
また、前記収納部３０の硬貨Ｃの搬送方向の終端部には、円柱状の分離ローラ３４が形成されている。分離ローラ３４は、すべての金種の収納部３０を横断するように構成されており、搬送された硬貨Ｃを一枚毎に分離する硬貨分離手段として機能する。分離ローラ３４を挟んで収納部３０の反対側（すなわち、分離ローラ３４より硬貨Ｃの搬送方向下流側）には、搬送された硬貨Ｃの受皿５２への払出しを制限するシャッター５５が設けられている。シャッター５５は、シャッターソレノイド５４の動作によって、突出部５５ａが突出位置と退避位置を移動する。突出部５５ａが退避位置に位置している（すなわち、シャッター５５が開放している）場合は、払出ベルト３１によって搬送された硬貨Ｃは受皿５２に排出される。突出部５５ａが突出位置に位置している（すなわち、シャッター５５が閉止している）場合は、払出ベルト３１によって搬送された硬貨Ｃは突出部５５ａによって搬送が遮断され、硬貨Ｃは受皿５２には排出されない。
【００１８】
また、硬貨釣銭部４は、シャッター５５と受皿５２の間の位置に、計数センサ５１を備える。計数センサ５１は、シャッター５５を通過して受皿５２に払い出される硬貨Ｃを計数する。計数センサ５１は、硬貨Ｃが計数センサ５１を通過しているときには、硬貨Ｃが通過しないときに比べて異なる出力をする。
【００１９】
また、前記本体ケース１５の左側手前には、表示部４８及び各種の操作キーを備えた操作部４７が設けられている。
【００２０】
ここからは、硬貨釣銭部４のハードウェア構成について説明する。図４は、硬貨釣銭部４のハードウェア構成を示すブロック図である。図４に示すように、硬貨釣銭部４は、ＣＰＵ（Central  Processing  Unit）４１、ＲＯＭ（Read  Only  Memory）４２、ＲＡＭ（Random  Access  Memory）４３、メモリ部４４等を備えている。ＣＰＵ４１は制御主体となる。ＲＯＭ４２は各種プログラムを記憶する。ＲＡＭ４３はプログラムや各種データを展開する。メモリ部４４は各種プログラムを記憶する。ＣＰＵ４１、ＲＯＭ４２、ＲＡＭ４３、メモリ部４４は、互いにバス４５を介して接続されている。ＣＰＵ４１とＲＯＭ４２とＲＡＭ４３が、制御部４００を構成する。すなわち、制御部４００は、ＣＰＵ４１がＲＯＭ４２やメモリ部４４に記憶されＲＡＭ４３に展開された制御プログラムに従って動作することによって、後述する硬貨釣銭部４の制御処理を実行する。
【００２１】
ＲＡＭ４３は、枚数部４３１を備えている。枚数部４３１は、販売データ処理部２から受信した硬貨分の釣銭額を含む釣銭情報に基づいて硬貨釣銭部４が算出した、硬貨釣銭部４が釣銭として払い出す硬貨Ｃの枚数情報を金種別に記憶する。例えば、硬貨分の釣銭額が７５０円の場合、硬貨釣銭部４の制御部４００は、５００円硬貨１枚、１００円硬貨２枚、５０円硬貨１枚の枚数情報を枚数部４３１に記憶する。
【００２２】
メモリ部４４は、電源を切っても記憶情報が保持されるＨＤＤ（Hard  Disc  Drive）やフラッシュメモリ等の不揮発性メモリで構成され、制御プログラムを記憶する制御プログラム部４４１を備える。
【００２３】
また、制御部４００は、バス４５およびコントローラ４６を介して、操作部４７、表示部４８、搬入モータ４９、リジェクトソレノイド５０、投入センサ１７、入金センサ２３、落下センサ２８、計数センサ５１、払出モータ５３、シャッターソレノイド５４と接続している。搬入モータ４９は、搬送ベルト２１、搬送ベルト２２、搬送ベルト２５を回転させて、投入された硬貨Ｃを選別孔２６まで搬送する。リジェクトソレノイド５０は、搬送ベルト２１によって搬送される異種硬貨をリジェクト部２４において排出するために作動する。入金センサ２３は、材質センサ、外径センサ等を備え、搬送ベルト２１によって搬送される硬貨Ｃが偽硬貨や変形硬貨等の異種硬貨であるかを判断するための信号を出力する。
【００２４】
計数センサ５１は、シャッター５５を通過する硬貨Ｃを認識する。制御部４００は、計数センサ５１からの出力に基づいて、計数センサ５１を通過した金種の硬貨の枚数（すなわち受皿５２に払い出される枚数）を計数する。
【００２５】
払出モータ５３は、払出ベルト３１を回転させる。払出ベルト３１が回転すると、収納部３０に収納されている硬貨Ｃが受皿５２に向けて搬送される。シャッター５５が開放している間は、払出ベルト３１によって搬送された硬貨Ｃは受皿５２に払い出される。シャッター５５が閉止すると、払出ベルト３１を回転しても硬貨Ｃは受皿５２に払い出されない。
【００２６】
また、制御部４００は、バス４５を介して、通信部５６（釣銭情報受信部）と接続している。通信部５６は、通信回線Ｌ１を介して、販売データ処理部２と電気的に接続している。通信部５６は、通信回線Ｌ１を介して、販売データ処理部２から、硬貨分の釣銭額を含む釣銭情報を受信する。
【００２７】
次に、紙幣釣銭部３のハードウェア構成について説明する。図５は、紙幣釣銭部３のハードウェア構成を示すブロック図である。図５に示すように、紙幣釣銭部３は、ＣＰＵ８１、ＲＯＭ８２、ＲＡＭ８３、メモリ部８４等を備えている。ＣＰＵ８１は制御主体となる。ＲＯＭ８２は各種プログラムを記憶する。ＲＡＭ８３はプログラムや各種データを展開する。メモリ部８４は各種プログラムを記憶する。ＣＰＵ８１、ＲＯＭ８２、ＲＡＭ８３、メモリ部８４は、互いにバス８５を介して接続されている。ＣＰＵ８１とＲＯＭ８２とＲＡＭ８３が、制御部８００を構成する。すなわち、制御部８００は、ＣＰＵ８１がＲＯＭ８２やメモリ部８４に記憶されＲＡＭ８３に展開された制御プログラムに従って動作することによって、後述する紙幣釣銭部３の制御処理を実行する。
【００２８】
ＲＡＭ８３は、枚数部８３１を備えている。枚数部８３１は、販売データ処理部２から受信した紙幣分の釣銭額を含む釣銭情報に基づいて紙幣釣銭部３が算出した、紙幣釣銭部３が釣銭として払い出す紙幣の枚数情報を金種別に記憶する。例えば、紙幣分の釣銭情報が３０００円の場合、紙幣釣銭部３の制御部８００は、１０００円札３枚の枚数情報を枚数部８３１に記憶する。
【００２９】
メモリ部８４は、電源を切っても記憶情報が保持されるＨＤＤやフラッシュメモリ等の不揮発性メモリで構成され、制御プログラムを記憶する制御プログラム部８４１を備える。
【００３０】
また、制御部８００は、バス８５およびコントローラ８６を介して、操作部８７、表示部８８、搬入モータ８９、リジェクトソレノイド９０、入金センサ９１、計数センサ９２、払出モータ９３と接続している。搬入モータ４９は、投入された紙幣を紙幣収納部（図示せず）まで搬送するためのモータである。リジェクトソレノイド９０は、搬送される偽紙幣等の異種紙幣を外部に排出するために作動する。入金センサ９１は、収納される紙幣の材質、外径等を判断するための信号を出力する。
【００３１】
計数センサ９２は、釣銭として払い出される紙幣を認識する。制御部８００は、計数センサ９２からの出力に基づいて、払い出される金種別の紙幣の枚数を計数する。
【００３２】
払出モータ９３は、収納部（図示せず）に収納されている紙幣を払い出すためのモータである。シャッター（図示せず）が開放している間は、払出モータ９３によって搬送された紙幣は釣銭として払い出される。シャッターが閉止すると、払出モータ９３が紙幣を搬送しても紙幣は払い出されない。
【００３３】
また、制御部８００は、バス８５を介して、通信部９４（釣銭情報受信部）と接続している。通信部９４は、通信回線Ｌ１を介して、販売データ処理部２と電気的に接続している。通信部９４は、通信回線Ｌ１を介して、販売データ処理部２から、紙幣分の釣銭額を含む釣銭情報を受信する。
【００３４】
次に、販売データ処理部２のハードウェア構成について説明する。図６は、販売データ処理部２のハードウェア構成を示すブロック図である。図６に示すように、販売データ処理部２は、ＣＰＵ６１、ＲＯＭ６２、ＲＡＭ６３、メモリ部６４等を備えている。ＣＰＵ６１は制御主体となる。ＲＯＭ６２は各種プログラムを記憶する。ＲＡＭ６３はプログラムや各種データを展開する。メモリ部６４は各種プログラムを記憶する。ＣＰＵ６１、ＲＯＭ６２、ＲＡＭ６３、メモリ部６４は、互いにバス６５を介して接続されている。ＣＰＵ６１とＲＯＭ６２とＲＡＭ６３が、制御部６００を構成する。すなわち、制御部６００は、ＣＰＵ６１がＲＯＭ６２やメモリ部６４に記憶されＲＡＭ６３に展開された制御プログラムに従って動作することによって、後述する販売データ処理部２の制御処理を実行する。
【００３５】
ＲＡＭ６３は、商品情報部６３１を備えている。商品情報部６３１は、売上登録処理された商品の商品情報を記憶する。
【００３６】
メモリ部６４は、電源を切っても記憶情報が保持されるＨＤＤやフラッシュメモリ等の不揮発性メモリで構成され、制御プログラムを記憶する制御プログラム部６４１を備える。
【００３７】
また、制御部６００は、バス６５およびコントローラ６６を介して、操作部６７、店員用表示部６８、客用表示部６９、レシート印字部５、カード読取部７０、コードリーダ７１と接続している。操作部６７は締めキー６７１を含むキーボードである。締めキー６７１は、商品の売上登録処理を終了して会計処理を開始するために宣言するキーである。店員用表示部６８は、例えば液晶表示部であり、店員に情報を表示する。客用表示部６９は、例えば液晶表示部であり、顧客に情報を表示する。
【００３８】
レシート印字部５は、通信回線Ｌ２を介してコントローラ６６と接続している。レシート印字部５は、販売データ処理部２が生成した商品情報や会計情報等の印字情報を印字したレシートを発行する。レシート印字部５は、販売データ処理部２を構成する販売データ処理装置の内部に位置してもよいし、販売データ処理装置の外部に位置してもよい。カード読取部７０は、会計処理に用いる現金以外の媒体（例えばクレジットカード）から情報を読み取る装置である。コードリーダ７１は、商品に付されたバーコード等のシンボルを読み取る装置である。販売データ処理部２は、コードリーダ７１が読み取ったシンボルに基づいて商品コードを取得する。
【００３９】
また、制御部６００は、バス６５を介して、通信部７２と接続している。通信部７２は、通信回線Ｌ１を介して、紙幣釣銭部３および硬貨釣銭部４と電気的に接続している。
【００４０】
ここからは、硬貨釣銭部４の機能構成について説明する。図７は、硬貨釣銭部４の機能構成を示した機能ブロック図である。図７に示すように、制御部４００は、払出部４０１、計数部４０２、払出判断部４０３、払出信号送信部４０４として機能する。
【００４１】
払出部４０１は、収納部に収納されている硬貨を釣銭として払い出す。払出部４０１は、払出モータ５３を回転させて払出ベルト３１を駆動して、硬貨を受皿５２に向けて搬送する。また、払出部４０１は、シャッター５５の開放と閉止を制御する。
【００４２】
計数部４０２は、払出部４０１が払い出す硬貨を計数する。計数部４０２は、計数センサ５１の出力に基づいて、払い出された硬貨の枚数を金種別に計数する。
【００４３】
払出判断部４０３は、受信した釣銭情報と計数部４０２が計数した硬貨の枚数に基づいて、釣銭として払い出す最後の硬貨を計数したかを判断する。具体的には、払出判断部４０３は、計数部４０２が計数した硬貨の枚数と枚数部４３１に記憶している金種別の硬貨の枚数とを比較して、計数部４０２が計数した硬貨の枚数が枚数部４３１に記憶している金種別の枚数に達したか（一致したか）を判断する。すなわち、払出判断部４０３は、枚数部４３１に記憶しているすべての金種について、計数部４０２が計数した硬貨の枚数が枚数部４３１に記憶している硬貨の枚数に達したかを判断する。払出判断部４０３は、枚数部４３１に記憶しているすべての金種について、計数部４０２が計数した硬貨の枚数が、枚数部４３１に記憶している硬貨の枚数に達した場合に、釣銭として払い出す最後の硬貨を計数したと判断する。
【００４４】
払出信号送信部４０４は、払出判断部４０３が最後の硬貨を計数したと判断した場合に、釣銭の払い出しが終了したことを示す払出終了信号を上位装置である販売データ処理部２に送信する。すなわち、払出信号送信部４０４は、枚数部４３１に記憶しているすべての金種について、計数部４０２が計数した硬貨の枚数が枚数部４３１に記憶している硬貨の枚数に達した場合に、釣銭の払い出しが終了したことを示す払出終了信号を販売データ処理部２に送信する。この場合、払出信号送信部４０４は、払出ベルト３１が最後の硬貨が受皿５２に払い出される前に、払出終了信号を販売データ処理部２に送信する。
【００４５】
なお、紙幣釣銭部３の制御部８００は、払出部４０１Ｓ、計数部４０２Ｓ、払出判断部４０３Ｓ、払出信号送信部４０４Ｓとして機能する。払出部４０１Ｓ、計数部４０２Ｓ、払出判断部４０３Ｓ、払出信号送信部４０４Ｓは、それぞれ、払出部４０１、計数部４０２、払出判断部４０３、払出信号送信部４０４と同等の機能である。
【００４６】
払出部４０１Ｓは、収納部に収納されている紙幣を釣銭として払い出す。払出部４０１Ｓは、払出モータ９３を回転させて、紙幣を払出方向に搬送する。また、払出部４０１は、紙幣の払い出しを制御するためのシャッター（図示せず）の開放と閉止を制御する。
【００４７】
計数部４０２Ｓは、払出部４０１Ｓが払い出す紙幣を計数する。計数部４０２Ｓは、計数センサ９２の出力に基づいて、払い出された紙幣の枚数を金種別に計数する。
【００４８】
払出判断部４０３Ｓは、受信した釣銭情報と計数部４０２Ｓが計数した紙幣の枚数に基づいて、釣銭として払い出す最後の紙幣を計数したかを判断する。具体的には、払出判断部４０３Ｓは、計数部４０２Ｓが計数した紙幣の枚数と枚数部８３１に記憶している金種別の紙幣の枚数とを比較して、計数部４０２Ｓが計数した紙幣の枚数が枚数部８３１に記憶している金種別の枚数に達したかを判断する。すなわち、払出判断部４０３Ｓは、枚数部８３１に記憶しているすべての金種について、計数部４０２Ｓが計数した紙幣の枚数が枚数部８３１に記憶している紙幣の枚数に達したかを判断する。払出判断部４０３Ｓは、枚数部８３１に記憶しているすべての金種について、計数部４０２Ｓが計数した紙幣の枚数が枚数部８３１に記憶している硬貨の枚数に達した場合に、釣銭として払い出す最後の紙幣を計数したと判断する。
【００４９】
払出信号送信部４０４Ｓは、払出判断部４０３Ｓが最後の紙幣を計数したと判断した場合に、釣銭の払い出しが終了したことを示す払出終了信号を上位装置である販売データ処理部２に送信する。すなわち、払出信号送信部４０４Ｓは、枚数部８３１に記憶しているすべての金種について、計数部４０２Ｓが計数した紙幣の枚数が枚数部８３１に記憶している紙幣の枚数に達した場合に、釣銭の払い出しが終了したことを示す払出終了信号を販売データ処理部２に送信する。この場合、払出信号送信部４０４Ｓは、最後の紙幣が払い出される前に、払出終了信号を販売データ処理部２に送信する。
【００５０】
ここからは、硬貨釣銭部４の制御について説明する。図８は、硬貨釣銭部４の制御処理の流れを示すフローチャートである。図８に示すように、硬貨釣銭部４の制御部４００は、顧客から受け取った預り金としての硬貨が入力されたかを判断する（Ｓ１１）。入金センサ２３が硬貨を検出した場合に入金があったと判断する。入金があったと判断した場合には（Ｓ１１のＹｅｓ）、制御部４００は、入金された金額を金種別に算出する。金種別の入金された金額は、落下センサ２８が計数した硬貨の枚数に基づいて算出する。そして、制御部４００は、すでに収納部３０に収納されている金額（硬貨釣銭部４記憶されている）に加算する（Ｓ１２）。そして制御部４００は、入金された合計の入金額を販売データ処理部２に送信する（Ｓ１３）。そして制御部４００は、Ｓ１１に戻る。
【００５１】
また、硬貨の入金ではないと判断した場合には（Ｓ１１のＮｏ）、制御部４００は、販売データ処理部２から、釣銭として支払われる硬貨分の釣銭額を含む釣銭情報を受信したかを判断する（Ｓ２１）。釣銭情報を受信したと判断した場合には（Ｓ２１のＹｅｓ）、制御部４００は、受信した釣銭額に基づいて、金種別の払い出す硬貨の枚数を算出する。そして制御部４００は、算出した金種別の払い出す硬貨の枚数の情報を枚数部４３１にセットする（Ｓ２２）。枚数部４３１には、金種別の払い出す硬貨の枚数の情報が記憶される。
【００５２】
次に払出部４０１は、受信した釣銭情報に基づいて硬貨分の釣銭の払出処理を開始する（Ｓ２３）。すなわち払出部４０１は、払出ベルト３１を駆動して収納部３０に収納されている硬貨Ｃを受皿５２に向けて搬送する。また、払出部４０１は、シャッター５５を開放する。
【００５３】
次に計数部４０２は、硬貨が計数センサ５１を通過したときの計数センサ５１の出力に基づいて、払い出された硬貨の枚数を金種別に計数する（Ｓ２４）。
【００５４】
次に払出判断部４０３は、Ｓ２２で枚数部４３１に記憶した金種別の硬貨の枚数と、計数部４０２によってＳ２４で計数された金種別の硬貨の枚数に基づいて、最後の１枚の硬貨が計数されたかを判断する（Ｓ２５）。払出判断部４０３が最後の１枚の硬貨が計数されてはいないと判断した場合には（Ｓ２５のＮｏ）、Ｓ２４に戻って、払出部４０１は、受信した硬貨分の釣銭の払出処理し、計数部４０２は、払い出された硬貨の枚数を金種別に計数する。また、払出判断部４０３が最後の１枚の硬貨を計数したと判断した場合には（Ｓ２５のＹｅｓ）、払出信号送信部４０４は、釣銭の払い出しが終了したことを示す払出終了信号を販売データ処理部２に送信する（Ｓ２６）。
【００５５】
次に払出部４０１は、硬貨分の釣銭の払い出し処理を終了する（Ｓ２７）。すなわち、払出部４０１は、払出判断部４０３が最後の１枚の硬貨を計数したと判断した場合に、シャッター５５を閉止する。また、払出部４０１は、最後の１枚の硬貨が受皿５２に排出された後に払出ベルト３１の駆動を停止して硬貨Ｃの搬送を停止する。
【００５６】
次に制御部４００は、受皿５２に払い出された釣銭の硬貨が存在するかを判断する（Ｓ２８）。受皿５２に払い出された釣銭の硬貨が存在すると判断した場合には（Ｓ２８のＹｅｓ）、制御部４００は、顧客がまだ受皿５２から釣銭を取っていないことが予想されるため、待機する。受皿５２に払い出された釣銭の硬貨は存在しないと判断した場合には（Ｓ２８のＮｏ）、制御部４００は、販売データ処理部２に、当該顧客との取引を終了する取引終了信号を送信する（Ｓ２９）。そして制御部４００は、Ｓ１１に戻る。また、Ｓ２１において、釣銭情報を受信していないと判断した場合には（Ｓ２１のＮｏ）、制御部４００は、Ｓ１１に戻る。
【００５７】
なお、紙幣釣銭部３においても、制御部８００は、紙幣について、硬貨釣銭部４のＳ１１〜Ｓ１３、Ｓ２１〜Ｓ２９の処理を同等の制御処理を実行する。すなわち、販売データ処理部２から紙幣分の釣銭額を含む釣銭情報を受信した場合には、制御部８００は、受信した釣銭額に基づいて、金種別の払い出す紙幣の枚数を算出して、算出した金種別の払い出す紙幣の枚数の情報を枚数部８３１にセットする。また、払出部４０１Ｓは、受信した釣銭情報に基づいて紙幣分の釣銭の払出処理を開始する。また、計数部４０２Ｓは、紙幣が計数センサ９２を通過したときの計数センサ９２の出力に基づいて、払い出された紙幣の枚数を金種別に計数する。また、払出判断部４０３Ｓは、最後の１枚の紙幣が計数されたかを判断する。払出判断部４０３Ｓが最後の１枚の紙幣を計数したと判断した場合には、払出信号送信部４０４Ｓは、釣銭の払い出しが終了したことを示す払出終了信号を販売データ処理部２に送信する。
【００５８】
ここからは、販売データ処理部２の機能構成について説明する。図９は、販売データ処理部２の機能構成を示す機能ブロック図である。図９に示すように、販売データ処理部２の制御部６００は、釣銭情報送信部６０１、払出終了信号受信判断部６０２、印字信号送信部６０３として機能する。
【００５９】
釣銭情報送信部６０１は、商品購入に伴うデータ処理によって発生した釣銭情報を紙幣釣銭部３および硬貨釣銭部４に送信する。釣銭情報送信部６０１は、紙幣分の釣銭額を含む釣銭情報を紙幣釣銭部３に送信する。また、釣銭情報送信部６０１は、硬貨分の釣銭額を含む釣銭情報を硬貨釣銭部４に送信する。
【００６０】
払出終了信号受信判断部６０２は、紙幣釣銭部３または／および硬貨釣銭部４から払出終了信号を受信したかを判断する。販売データ処理部２に紙幣釣銭部３のみが接続されている場合には、払出終了信号受信判断部６０２は、紙幣釣銭部３から払出終了信号を受信したかを判断する。販売データ処理部２に硬貨釣銭部４のみが接続されている場合には、払出終了信号受信判断部６０２は、硬貨釣銭部４から払出終了信号を受信したかを判断する。販売データ処理部２に紙幣釣銭部３および硬貨釣銭部４が接続されている場合には、払出終了信号受信判断部６０２は、紙幣釣銭部３と硬貨釣銭部４の両方から払出終了信号を受信したかを判断する。なお、販売データ処理部２に紙幣釣銭部３および硬貨釣銭部４が接続されている場合であっても、払出終了信号受信判断部６０２は、紙幣釣銭部３と硬貨釣銭部４のうちの、予め決められた一方から払出終了信号を受信したかを判断するようにしてもよい。
【００６１】
印字信号送信部６０３は、払出終了信号受信判断部６０２が払出終了信号を受信したと判断した場合に、レシート印字部５に対し、データ処理に伴う情報を印字したレシートの発行を指示するレシート発行指示信号を送信する。印字信号送信部６０３は、払出終了信号受信判断部６０２が払出終了信号を受信したと判断した場合に、レシート発行指示信号と、売上登録処理された商品の商品情報と会計情報等の印字情報を送信する。すなわち販売データ処理部２は、硬貨釣銭部４において最後の硬貨が受皿５２に払い出されるタイミングとほぼ同一のタイミングで、また、紙幣釣銭部３において、最後の紙幣が釣銭として払い出されるタイミングとほぼ同一のタイミングで、レシート発行指示信号と印字情報をレシート印字部５に送信する。
【００６２】
次に、販売データ処理部２の制御について説明する。図１０は、販売データ処理部２の制御処理の流れを示すフローチャートである。図１０に示すように、販売データ処理部２の制御部６００は、コードリーダ７１が読み取ったシンボルで特定される商品の商品コードを取得したかを判断する（Ｓ４１）。商品の商品コードを取得したと判断した場合には（Ｓ４１のＹｅｓ）、制御部６００は、当該商品について売上登録処理を実行する（Ｓ４２）。売上登録処理された商品の商品情報は、商品情報部６３１に記憶される。そして制御部６００は、Ｓ４１に戻る。
【００６３】
また、商品の商品コードの取得ではないと判断した場合には（Ｓ４１のＮｏ）、制御部６００は、締めキー６７１が操作されたかを判断する（Ｓ５１）。締めキー６７１が操作されたと判断した場合には（Ｓ５１のＹｅｓ）、制御部６００は、商品情報部６３１に記憶されている商品情報に基づいて会計処理を実行する（Ｓ５２）。次に制御部６００は、硬貨釣銭部４から、Ｓ１３の処理に伴う入金額を含む入金情報を受信したかを判断する（Ｓ５３）。また、制御部６００は、紙幣釣銭部３から、入金額を含む入金情報を受信したかを判断する（Ｓ５３）。入金情報を受信するまで待機し（Ｓ５３のＮｏ）、入金情報を受信したと判断した場合には（Ｓ５３のＹｅｓ）、制御部６００は、会計処理した会計情報（購入した商品の合計金額）と入金額とに基づいて釣銭額を含む釣銭情報を生成する（Ｓ５４）。制御部６００は、釣銭額が１０００円以上である場合、１０００円未満の端数額を除く紙幣分の釣銭額を含む釣銭情報を、紙幣釣銭部３に送信する釣銭情報として生成する。また、制御部６００は、釣銭額が１０００円未満である場合の釣銭額、または、上記端数の硬貨分の釣銭額を含む釣銭情報を、硬貨釣銭部４に送信する釣銭情報として生成する。そして、釣銭情報送信部６０１は、生成した紙幣分の釣銭情報を、紙幣釣銭部３に送信する。また、釣銭情報送信部６０１は、生成した硬貨分の釣銭情報を、硬貨釣銭部４に送信する（Ｓ５５）。そして制御部６００は、Ｓ４１に戻る。
【００６４】
また、締めキー６７１の操作ではないと判断した場合には（Ｓ５１のＮｏ）、払出終了信号受信判断部６０２は、紙幣釣銭部３または硬貨釣銭部４から、払出終了信号を受信したかを判断する（Ｓ６１）。紙幣釣銭部３または硬貨釣銭部４から払出終了信号を受信したと判断した場合には（Ｓ６１のＹｅｓ）、払出終了信号受信判断部６０２は、Ｓ６１で受信したと判断した払出終了信号を送信した釣銭機ではない釣銭機から、すでに払出終了信号を受信しているかを判断する（Ｓ６２）。すなわち、払出終了信号受信判断部６０２は、Ｓ６１において紙幣釣銭部３から送信された払出終了信号を受信したと判断した場合には、Ｓ６２において、硬貨釣銭部４からすでに払出終了信号を受信しているかを判断する。また、払出終了信号受信判断部６０２は、Ｓ６１において硬貨釣銭部４から送信された払出終了信号を受信したと判断した場合には、Ｓ６２において、紙幣釣銭部３からすでに払出終了信号を受信しているかを判断する。
【００６５】
Ｓ６１で受信したと判断した払出終了信号を送信した釣銭機ではない釣銭機からはまだ払出終了信号を受信していないと判断した場合には（Ｓ６２のＮｏ）、制御部６００はＳ４１に戻る。一方、Ｓ６１で受信したと判断した払出終了信号を送信した釣銭機ではない釣銭機から、すでに払出終了信号を受信していると判断した場合には（Ｓ６２のＹｅｓ）、印字信号送信部６０３は、レシート印字部５に対し、データ処理に伴う情報を印字したレシートの発行を指示するレシート発行指示信号を送信する（Ｓ６３）。印字信号送信部６０３は、Ｓ６３の処理において、Ｓ４２の売上登録処理に基づく商品情報やＳ５２とＳ５４の処理に基づく会計情報等の、レシートに印字する印字情報も送信する。そして制御部６００は、Ｓ４１に戻る。
【００６６】
また、払出終了信号受信判断部６０２が紙幣釣銭部３または硬貨釣銭部４から払出終了信号の受信ではないと判断した場合には（Ｓ６１のＮｏ）、制御部６００は、紙幣釣銭部３または硬貨釣銭部４から、取引終了信号を受信したかを判断する（Ｓ６４）。紙幣釣銭部３または硬貨釣銭部４から取引終了信号を受信したと判断した場合には（Ｓ６４のＹｅｓ）、制御部６００は、Ｓ６４で受信したと判断した取引終了信号を送信した釣銭機ではない釣銭機から、すでに取引終了信号を受信しているかを判断する（Ｓ６５）。すなわち、制御部６００は、Ｓ６４において紙幣釣銭部３から送信された取引終了信号を受信したと判断した場合には、Ｓ６５において、硬貨釣銭部４からすでに取引終了信号を受信しているかを判断する。また、制御部６００は、Ｓ６４において硬貨釣銭部４から送信された取引終了信号を受信したと判断した場合には、Ｓ６５において、紙幣釣銭部３からすでに取引終了信号を受信しているかを判断する。
【００６７】
Ｓ６４で受信したと判断した取引終了信号を送信した釣銭機ではない釣銭機からはまだ取引終了信号を受信していないと判断した場合には（Ｓ６５のＮｏ）、制御部６００はＳ４１に戻る。一方、Ｓ６４で受信したと判断した取引終了信号を送信した釣銭機ではない釣銭機から、すでに取引終了信号を受信していると判断した場合には（Ｓ６５のＹｅｓ）、制御部６００は、顧客との取引終了処理を実行する（Ｓ６６）。すなわち、当該顧客との取引終了を宣言し、次客との取引を可能にする処理を実行する。そして制御部６００は、Ｓ４１に戻る。なお、紙幣釣銭部３または硬貨釣銭部４から取引終了信号を受信していないと判断した場合には（Ｓ６４のＮｏ）、制御部６００は、Ｓ４１に戻る。
【００６８】
レシート印字部５は、Ｓ６３の処理で送信されたレシート発行指示信号と印字情報を受信する。レシート印字部５は、受信した印字情報に基づいて、直ちに印字情報を印字したレシートを発行する。レシート印字部５は、受信した印字情報に基づいてレシートを発行するのに、ほとんど時間を要しない。そのため、レシート印字部５は、紙幣釣銭部３または硬貨釣銭部４から釣銭が払い出されるとほぼ同じタイミングで、レシートを発行する。
【００６９】
以上、説明した実施形態金銭払出装置によれば、硬貨釣銭部４において、計数部４０２が計数した釣銭として払い出される硬貨の枚数に基づいて、払出判断部４０３が釣銭として払い出す最後の硬貨を計数部４０２が計数したかを判断し、払出判断部４０３が最後の硬貨を計数したと判断した場合に、払出信号送信部４０４が釣銭の払い出しが終了したことを示す払出終了信号を販売データ処理部２に送信するようにした。また、紙幣釣銭部３においても、同様に、払出判断部４０３Ｓが最後の紙幣を計数したと判断した場合に、払出信号送信部４０４Ｓが釣銭の払い出しが終了したことを示す払出終了信号を販売データ処理部２に送信するようにした。そのため、販売データ処理部２は、受信した払出終了信号に基づいてレシート発行指示信号をレシート印字部５に送信でき、レシート印字部５は、釣銭が払い出されると同時にレシートを発行できる。
【００７０】
このような金銭払出装置によれば、釣銭の払い出しとレシートの発行がほぼ同時に行うことが可能となるため、顧客が、釣銭の取り忘れやレシートの取り忘れることを防止できる。
【００７１】
また、実施形態の会計装置によれば、販売データ処理部２は、払出終了信号受信判断部６０２が紙幣釣銭部３や硬貨釣銭部４から最後の金銭を計数したと判断した場合に送信される払出終了信号を受信した場合、印字信号送信部６０３が、レシート印字部５に対してレシート発行指示信号を送信する。このような会計装置によれば、釣銭の払い出しとレシートの発行がほぼ同時に行うことが可能となるため、顧客が、釣銭の取り忘れやレシートの取り忘れることを防止できる。
【００７２】
なお、実施形態に係る会計装置は、会計処理部と金銭払出部とレシート印字部とを備えるが、販売データ処理部２（会計処理部）の機能を有する販売データ処理装置と、金銭払出部の機能を有する金銭払出装置と、レシート印字部の機能を有するレシート発行装置と、を備えた、請求項４の構成を備えた会計システムであってもよい。
【００７３】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７４】
例えば、実施形態では、セルフ型ＰＯＳ端末１を会計装置の一例として説明した。しかしながら、これに限らず、会計装置は、例えば、セミセルフ型ＰＯＳ端末の会計装置であってもよい。また本発明を、セルフ型ＰＯＳ端末１やセミセルフ型ＰＯＳ端末の会計装置以外の、店員が売上登録操作と会計操作を行う、会計処理装置と金銭払出装置とレシート印字装置を備えたＰＯＳシステムに適用してもよい。
【００７５】
また、実施形態では、計数部４０２は払い出された硬貨の枚数を計数するようにした。しかしながら、これに限らず、計数部４０２は、例えば、払い出された硬貨の金額を算出するようにしてもよい。この場合、枚数部４３１と枚数部８３１には、釣銭として払い出される金額を記憶し、計数部４０２および計数部４０２Ｓは、払い出す金銭の金額を算出（すなわち計数）し、払出判断部４０３および払出判断部４０３Ｓは、払い出された金額と記憶した金額が一致した場合に、釣銭として払い出す最後の金銭を計数したと判断する。
【００７６】
また、実施形態では、紙幣釣銭部３および硬貨釣銭部４に対し、販売データ処理部２を上位装置とした。これは、紙幣釣銭部３および硬貨釣銭部４がともに販売データ処理部２と電気的に直接接続されているからである。しかしながら、これに限らす、例えば販売データ処理部２と紙幣釣銭部３が電気的に直接接続されており、硬貨釣銭部４は紙幣釣銭部３と電気的に直接接続されている場合には、紙幣釣銭部３の上位装置は販売データ処理部２であり、硬貨釣銭部４の上位装置は紙幣釣銭部３である。この場合、販売データ処理部２は、紙幣分と硬貨分の釣銭額を含む釣銭情報を紙幣釣銭部３に送信する。そして紙幣釣銭部３は、硬貨分の釣銭額を含む釣銭情報を硬貨釣銭部４に送信する。
【００７７】
また、実施形態では、印字信号送信部６０３は、レシート印字部５に対し、レシート発行指示信号と印字情報を送信するようにした。しかしながら、これに限らず、印字情報を前もってレシート印字部５に送信し、Ｓ６３の処理においてレシート発行指示信号を送信するようにしてもよい。
【００７８】
なお、実施形態の硬貨釣銭部４やセルフ型ＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００７９】
また、実施形態の硬貨釣銭部４やセルフ型ＰＯＳ端末１で実行されるプログラムを、インターネット等のネットワークに接続されたコンピュータ上に格納し、ネットワーク経由でダウンロードさせることにより提供するように構成しても良い。また、実施形態の硬貨釣銭部４やセルフ型ＰＯＳ端末１で実行されるプログラムをインターネット等のネットワーク経由で提供または配布するように構成しても良い。
【００８０】
また、実施形態の硬貨釣銭部４やセルフ型ＰＯＳ端末１で実行されるプログラムを、ＲＯＭ等に予め組み込んで提供するように構成してもよい。
【符号の説明】
【００８１】
１      セルフ型ＰＯＳ端末
２      販売データ処理部
３      紙幣釣銭部
４      硬貨釣銭部
５      レシート印字部
５１    計数センサ
５２    受皿
５５    シャッター
４００  制御部
４０１  払出部
４０１Ｓ  払出部
４０２  計数部
４０２Ｓ  計数部
４０３  払出判断部
４０３Ｓ  払出判断部
４０４  払出信号送信部
４０４Ｓ  払出信号送信部
４３１  枚数部
６００  制御部
６０１  釣銭情報送信部
６０２  払出終了信号受信判断部
６０３  印字信号送信部
６３１  商品情報部
８３１  枚数部
【先行技術文献】
【特許文献】
【００８２】
【特許文献１】特開２０１２−１７８０６３号公報
【図１】
2019207492.tif 000003
【図２】
2019207492.tif 000004
【図３】
2019207492.tif 000005
【図４】
2019207492.tif 000006
【図５】
2019207492.tif 000007
【図６】
2019207492.tif 000008
【図７】
2019207492.tif 000009
【図８】
2019207492.tif 000010
【図９】
2019207492.tif 000011
【図１０】
2019207492.tif 000012